(57)【特許請求の範囲】
【請求項１】
長尺で断面多角形状をした密閉構造のキャビティを有し、前記キャビティの長手方向に伸延する角部の内の少なくとも１つに、前記キャビティの少なくとも長手方向の一部が放射方向外方に向かって突出する膨出部を形成した一対の成形型を準備する工程と、
前記成形型の前記膨出部と前記放射方向の張り出し量が同じ予備突出部が前記角部の内の少なくとも１つに形成された、多角形状の閉断面を有するチューブ状の予備成形体を形成する工程と、
前記予備突出部が前記キャビティの前記膨出部内面に接するように前記予備成形体を前記成形型にセットする工程と、
前記予備成形体内に液圧を供給し、前記予備成形体が前記成形型の前記キャビティに沿うように液圧成形する工程と、を有するチューブ部材の製造方法。
【請求項２】
前記キャビティは、断面４角形状であり、
前記予備成形体は、４角形状の閉断面を有するチューブ状であり、
前記予備突出部が４つの前記角部のすべてに形成され、４つの前記予備突出部すべてが前記キャビティの前記膨出部内面に接するように前記予備成形体を前記成形型にセットすることを特徴とする請求項１に記載のチューブ部材の製造方法。
【請求項３】
前記予備成形体は、前記成形型の型締め時に前記キャビティ内において、前記予備成形体の前記予備突出部間の中間部が前記放射方向内方に湾曲するようにしたことを特徴とする請求項１又は２に記載のチューブ部材の製造方法。
【請求項４】
前記成形型は、軸直角断面４角形状をした前記キャビティの４つの前記角部の内、対向する前記角部が合わせ面を跨って形成したことを特徴とする請求項１〜３のいずれか１項に記載のチューブ部材の製造方法。
【発明の詳細な説明】
【技術分野】
【０００１】
本発明は、曲げや捩りなどに対する剛性の高いチューブ部材の製造方法に関する。
【背景技術】
【０００２】
例えば、自動車のサスペンションに使用されるサスペンションメンバー等は、本体部分が閉断面構造をしたチューブ部材が用いられている。
【０００３】
このような閉断面構造をしたチューブ部材は、最近では、例えば、下記特許文献に開示されているチューブハイドロフォーミング方法により成形されることが多い。
【０００４】
この方法は、断面矩形状した鋼管を液圧により拡管し、所定形状に成形するもので、溶接接合部分がなく全体を一体成形できる。したがって、一般的に行われている前記チューブ部材の成形方法である、断面Ｕ字状をした上下２つの部材を最中合わせし、両部材を溶接により接合する方法に比し、部品点数や溶接工程が低減のみでなく、複雑な形状をしたものであっても成形に要する作業時間が短縮でき、コスト的にも作業能率的にも有利となる。
【０００５】
一方、サスペンションメンバーは、車輪側と種々のアームあるいはロッドを介して連結され、アーム上に設けられたショックアブソーバなどを介して車体側とも連結されため、車輪側からの振動あるいは荷重によりチューブ部材自体が形状的に曲げや捩りを受ける。このような曲げや捩りなどに対しては、チューブ部材を補強することが好ましい。
【先行技術文献】
【特許文献】
【０００６】
【特許文献１】特開２００８−１４９３４３号公報
【発明の概要】
【発明が解決しようとする課題】
【０００７】
チューブハイドロフォーミング方法によるチューブ部材の成形と同時にチューブ部材を補強するに当り、例えば、チューブ部材の肉厚を厚くして液圧成形することがあるが、このようにすれば、厚肉にした分、全体的に重量増となり、自動車のサスペンション用チューブ部材としては好ましくない。
【０００８】
また、チューブハイドロフォーミング方法により、曲げが生じる部位の断面を拡大し、断面２次モーメントや断面係数を増大させることにより補強することもある。しかし、対象部分全体が膨出し、大径化することになるので、このチューブ部材をサスペンションメンバーとして車載すれば、車両レイアウトの制約により車載困難な場合もある。
【０００９】
さらに、断面を拡大することなく曲げや捩り剛性を向上させるために、内部に補強を施すこともある。しかし、チューブ部材内に補強部材を設置し溶着する作業が必要となり、製品コストが増大するのみでなく、重量増となるおそれがある。
【００１０】
本発明は、上述した課題を解決するためになされたもので、重量増を伴うことなく、僅かな断面の拡大で曲げや捩りなどに対する強度を高めることができるチューブ部材の製造方法を提供することを目的とする。
【課題を解決するための手段】
【００１２】
上記目的を達成する本発明のチューブ部材の製造方法は、成形型におけるキャビティの角部に放射方向外方に向かって突出する膨出部を形成し、前記キャビティ内に設置するワークは、前記膨出部と前記放射方向の張り出し量が同じ予備突出部が角部に形成されたチューブ部材の予備成形体を使用し、この予備成形体の予備突出部を前記膨出部内面に接するようにセットした状態で液圧をかけ、前記予備突出部を前記成形型の膨出部に沿うように成形することを特徴とする。
【発明の効果】
【００１３】
本発明に係るチューブ部材の構造によれば、チューブ部材における軸線方向の両端部間に形成された軸線変形部の軸直角断面角部に、放射方向外方に向かって突出する突出部を形成することにより、チューブ部材の断面２次モーメントが増加させ、チューブ部材において要補強部となる部分のみを補強するようにしたので、前記両端部に前後左右あるいは上下から力が作用し、軸線変形部に曲げや捩りなどが生じても、これに対向するチューブ部材となる。また、ハイドロフォーミング方法によりチューブ部材を成形するとき、前記軸線変形部の肉厚も他の部分と同じにすると、チューブ部材全体の重量増加もほとんどないものが得られる。
【００１４】
本発明に係るチューブ部材の製造方法によれば、予備突出部を形成したチューブ部材の予備成形体を使用し、この予備成形体の突出部を成形型におけるキャビティの角部に放射方向外方に向かって突出するように形成した膨出部内面に接するようにセットした状態で液圧成形するので、液圧成形時に成形型の膨出部に予備成形体の素材が流動しやすく、亀裂等が発生することなく突出部を容易に成形できる。
【図面の簡単な説明】
【００１５】
【図１】サスペンションメンバーの全体構造を示す概略斜視図である。
【図２】補強前のチューブ部材を示す、図１の２−２線に沿う断面図である。
【図３】要補強部に補強を施した成形後のチューブ部材の一例を示す、図２と同様の断面図である。
【図４】突出部と断面２次モーメントの大きさの検証結果を示す表である。
【図５】検証結果における断面２次モーメントの大きさを示すグラフである。
【図６】液圧成形装置が型締めした状態の成形型を示す、ワークの軸線に直角な断面図である。
【図７】同成形型におけるワークの軸線方向の断面図である。
【発明を実施するための形態】
【００１６】
以下、図面を参照して、本発明の実施の形態を説明する。
【００１７】
本実施の形態に係るチューブ部材が用いられるサスペンションメンバーは、図１に示すように、概して、長尺な４本のチューブ部材Ｔ（Ｔ１，Ｔ２，Ｔ３，Ｔ４の総称）が相互に接合されたものである。各チューブ部材Ｔの端部には、マウント部材Ｍ（Ｍ１，Ｍ２，Ｍ３，Ｍ４の総称）が設けられ、このマウント部材Ｍを介して車輪側と連結する連結部材など（例えば、ロアアーム、アッパアームなど）が連結される。なお、ロアアームと車体（不図示）との間にはショックアブソーバが設けられ、アッパアームにはダイナミックダンパーが設けられ、車輪側から車体側への振動伝達を抑制する。
【００１８】
したがって、車載されたサスペンションメンバーに対しては、車両走行中に、前後方向（矢印Ａ）、上下方向（矢印Ｂ）あるいは左右方向など種々の方向から荷重が作用することになる。例えば、チューブ部材Ｔ１において考察すれば、マウント部材Ｍ１に上方に向って荷重Ｆ１が作用し、マウント部材Ｍ２に下方に向って荷重Ｆ２が作用すれば、長尺なチューブ部材Ｔ１における軸線方向の両端部間に存在する湾曲した部分、つまり長尺なチューブ部材Ｔ１の軸線が直状でなく屈曲あるいは湾曲した軸線変形部Ｘには、曲げや捩りなどが生じ、これによって歪も生じることから、軸線変形部Ｘは、補強を施す必要がある要補強部となる。ここに、補強を施す前のチューブ部材Ｔ１としては、軸線方向には比較的長尺なもので、その軸直角断面は、図２に示すように、４角形状をしたものである。
【００１９】
軸線変形部Ｘのような要補強部が存在するチューブ部材Ｔ１を、チューブハイドロフォーミング方法により成形する場合、チューブ部材Ｔ１の軸直角断面積を単純に大きくして補強すると、断面４角形状が縦横に広がり大きくなり、これを用いてサスペンションメンバーを形成すると、車両レイアウトの制約により実現が困難になる可能性がある。
【００２０】
しかし、要補強部の角部１のみに、図３に示すような突出部２を設けて断面積を大きくすれば、車両レイアウトの制約に関する問題は生じにくい。チューブ部材Ｔ１における角部１の周辺は、隣接する部材との関係ではデッドスペースになることが多いからである。特に、本実施形態の軸線変形部Ｘは、軸線方向において円弧状に湾曲した部分であり、この部分の軸直角断面における角部１に突出部２を設けるとき、円弧状軸線に沿って形成すると、軸線変形部Ｘの全長にわたり補強することができ、好ましい。なお、軸線変形部Ｘとしては、円弧状のもののみに限定されるものではないが、ジグザグに変形したものあるいは屈曲したものなどは、局部的な応力集中が生じやすいので、好ましくない。
【００２１】
そこで、チューブ部材Ｔ１における要補強部の角部１のみに突出部２を設ける場合、どのような突出部２を形成すれば、実効性ある補強を行うことができるかについて種々検証することを試みた。検証は、図２に示す基本となるチューブ部材Ｔに対し同じ突出長で突出方向のみが異なる突出部２を種々形成したとき、断面２次モーメントの大きさにどの程度影響するかの観点から行った。各種突出部を有するチューブ部材Ｔと、これら各断面２次モーメントの大きさの検証結果を、図４に表で示す。
【００２２】
図４（ａ）欄に基本となるチューブ部材Ｔを示す。基本となるチューブ部材Ｔは、図２に示す断面を有するものであるが、縦長６０ｍｍ×横長８０ｍｍの断面４角形状を有するものを使用した。チューブ部材Ｔを軸直角に切断したときの端面の面積（以下、単に断面積）、Ｘ軸を中心軸線とする断面２次モーメント（Ｉｘｘ）、Ｙ軸を中心軸線とする断面２次モーメント（Ｉｙｙ）を全て「１００」に設定した。
【００２３】
まず、図４（ｂ）欄に示すように、チューブ部材Ｔの４つの角部１全てに、角部１を構成する短辺３と長辺４の内、短辺側に短辺と直交する方向、つまり、短辺３を構成する部材の面に直交する方向に突出部２を５ｍｍ突出させたものについて、基本となるチューブ部材Ｔの設定値「１００」に対する比率を検証した。この場合のチューブ部材Ｔの断面積は、１０７．５であり、Ｘ軸を中心軸線とする断面２次モーメント（Ｉｘｘ）は、１１１．１、Ｙ軸を中心軸線とする断面２次モーメント（Ｉｙｙ）は、１２７．５であった。
【００２４】
次に、図４（ｃ）欄に示すように、４つの角部１全てに、角部１を構成する短辺３と長辺４の内、長辺側に長辺と直交する方向、つまり、長辺４を構成する部材の面に直交する方向に突出部２を５ｍｍ突出させたものは、断面積が１０７．９であり、Ｘ軸を中心軸線とする断面２次モーメント（Ｉｘｘ）が１１９．０、Ｙ軸を中心軸線とする断面２次モーメント（Ｉｙｙ）が１１０．０であった。
【００２５】
さらに、図４（ｄ）欄に示すように、突出部２を斜め方向、つまり長辺４若しくは短辺３に対する傾斜角が４５°となる方向に５ｍｍ突出させたものは、断面積が１１１．４であり、Ｘ軸を中心軸線とする断面２次モーメント（Ｉｘｘ）が１１９．８、Ｙ軸を中心軸線とする断面２次モーメント（Ｉｙｙ）が１２０．３であった。
【００２６】
検証結果を棒グラフで示すと、図５に示すようになる。この結果から判断すれば、１００以上の値を示すものは、全て良好なものであるから、チューブ部材Ｔの短辺方向または長辺方向のどちらかに突出部２を形成すると、短辺方向（高さ方向）または長辺方向（幅方向）の断面２次モーメントＩｘｘ又はＩｙｙが増加するので捩り剛性などは向上することになる。したがって、要補強部の角部１に突出部２を設けたものは、図４（ｂ）（ｃ）（ｄ）のいずれのものも良好な結果が得られることが判明した。
【００２７】
しかも、突出部２は、チューブ部材Ｔの湾曲部Ｘのみに形成すればよく、肉厚ｔも他の部分と同じであるため、重量増は微小で、断面の拡大も僅かで、車両レイアウトの制約があっても殆ど問題となることもない。
【００２８】
特に、図４（ｄ）欄に示す斜め方向に突出部２を形成したもの、つまり、図３に示す４５度の方向に突出したチューブ部材Ｔは、短辺方向（高さ方向）のみ、又は長辺方向（幅方向）のみのものよりも、断面２次モーメントＩｘｘ、Ｉｙｙの両者とも大きく、他の場合よりも曲げや捩りなどの剛性が高く、あらゆる方向から荷重が作用するサスペンションメンバーを補強する手段としては有効なことが判明した。しかも、突出部２を湾曲部Ｘのみに形成すれば、短辺３と長辺４の両方向に突出部２を形成したものに比し、重量増をより抑制でき、その曲げ剛性も高く、捩り固有値（共振周波数）をより高くすることができる。このため、ダイナミックダンパーなどのような音振チューニング部品を廃止させることも可能となる。
【００２９】
次に、成形方法を説明する。
【００３０】
まず、図６、図７に示すような成形型１０を準備する。液圧成形装置に使用される成形型１０は、上型１１と下型１２とを有し、両者を型締めしたときには、内部にワークＷが収容されるキャビティ１３が形成される。本実施形態のキャビティ１３は、内部に長尺なワークＷが収容されるので、ワークＷの軸線方向に長く、その長手方向に直交する断面は、図６に示すように、略矩形状となっている。
【００３１】
特に、本実施形態のキャビティ１３は、図６に示すように、長手方向に直交する断面が矩形状を呈するように形成され、この矩形の角部１４（１４ａ，１４ｂ，１４ｃ，１４ｄの総称）に、放射方向外方に向かって突出する膨出部１５（１５ａ，１５ｂ，１５ｃ，１５ｄの総称）が形成されている。
【００３２】
各膨出部１５の突出方向は、角度的には、各角部１４を構成するキャビティ１３の型面１７と型面１８（同様に型面１８，１９、型面１９，２０若しくは型面２０，１７）に対し４５度傾斜した方向とされ、図４（ｄ）欄に記載の突出部２を有するチューブ部材Ｔを形成するものとして構成されている。なお、膨出部１５は、図７に示すように、キャビティ１３の長手方向の一部であってもよく、キャビティ１３全長にわたって形成したものであってもよい。
【００３３】
特に、本実施形態のキャビティ１３は、図６に示すように、一対の対向する膨出部１５ｂ，１５ｄが成形型１０の合わせ面１６を跨って形成されている。この結果、他の一対の対向する角部１４ａ，１４ｃに形成される膨出部１５ａ，１５ｃは、必然的にキャビティ１３の内方に向かって開口する状態になる。
【００３４】
このようにすれば、液圧成形装置は、下型１２を静止状態とし、上型１１のみが作動するようにすることもでき、略矩形状をしたワークＷを、例えば、上面が水平でなく、傾斜させた状態でキャビティ１３に投入すれば、一方向からの型締めで、液圧成形が可能となり、設備的に簡素化でき、コスト的に有利となる。また、作業的には、成形後のチューブ部材を取り出しやすくなる。
【００３５】
次に、使用するワークＷは、図６に示すように、軸直角断面が略矩形状のプリフォームした予備成形体を準備する。つまり、キャビティ１３に形成された膨出部１５の突出量と同じ張り出し量の予備突出部２ａが、ワークＷの軸直角断面の角部に形成されたチューブ状の予備成形体を準備する。また、ワークＷの大きさとしては、長手方向はキャビティ１３内に収容できる長さであることは当然であるが、これに直交する方向の大きさは、キャビティ１３内において上型１１と下型１２により型締めされたとき、上型１１と下型１２により加圧され、図６に示すように、予備突出部２ａ間の中間部ｍが放射方向内方に膨出される程度のものが好ましい。つまり、後に詳述するが、液圧成形時に中間部ｍの肉を予備突出部２ａに利用する、いわゆる肉寄せが生じ程度の大きさであることが好ましい。
【００３６】
なお、ワークＷには、図７に示すように、長手方向端部に下型１２に設けられた液圧注入用のヘッド２２が挿入される通孔２１を開設しておく。
【００３７】
このように構成されたワークＷを成形型１０のキャビティ１３内にセットする。この場合、ワークＷに形成した予備突出部２ａがキャビティ１３の膨出部１５に対応するようにセットする。
【００３８】
そして、成形型１０を作動し、上型１１と下型１２がワークＷを型締めすると、液圧注入用のヘッド２２がワークＷの通孔２１に入り込み、液圧供給の準備ができる。一方、キャビティ１３内においては、ワークＷが上型１１と下型１２により加圧され、予備突出部２ａ間の中間部ｍが放射方向内方に向かって膨出される。
【００３９】
この状態で、図外の液圧供給装置から液圧注入用ヘッド２２を介してワークＷ内に液圧を供給すると、ワークＷでは予備突出部２ａ間の中間部ｍが液圧によりキャビティ１３の内面に向かって膨出されることになり、この中間部ｍの肉が各角部に向かうことになる。これにより、いわゆる肉寄せが生じる。したがって、予備成形体の素材が円滑に流動され、予備突出部２ａは、中間部ｍの肉を利用して膨出成形され、キャビティ１３の膨出部１５に沿って円滑に変形され、亀裂等が発生することなく、所望の突出部２が成形される。
【００４０】
この成形後、上型１１と下型１２とを離間すると、ワークＷの突出部２がキャビティ１３の膨出部１５内まで入り込んだ状態であっても、上型１１と下型１２の合わせ面から上半分が露出した状態となるので、ワークＷをキャビティ１３内から簡単に取り出すことができる。
【００４１】
上述した本実施の形態は、以下の効果を奏する。
【００４２】
（ａ）本実施の形態のチューブ部材Ｔの構造では、軸直角断面４角形状をしたチューブ部材Ｔの軸線変形部Ｘにおける４つの角部１に、軸直角断面放射方向外方に向かって突出する突出部２を形成したので、チューブ部材Ｔの断面２次モーメントが増加し、曲げ剛性や捩り剛性が向上し、曲げなどに対する補強を必要とする部分の補強ができる。しかも、ハイドロフォーミング方法により成形するとき、軸線変形部Ｘの肉厚も他の部分と同じにすると、全体重量の増加も微小で、断面の拡大も僅かであり、また、車両レイアウトの制約があっても突出部２が邪魔になるなどの問題は生じることもない。
【００４３】
（ｂ）チューブ部材Ｔが有する４つの角部１に、この角部１を構成する辺３，４のいずれか一方に直交する方向に突出する突出部２を形成すれば、短辺３の方向（高さ方向）または長辺４の方向（幅方向）の少なくともどちらかの断面２次モーメントが増加し、曲げ剛性や捩り剛性が向上する。
【００４４】
（ｃ）突出部２を、角部１を構成する辺３，４のいずれか一方に対し４５度の方向に突出すれば、角部１を構成する辺３，４のいずれにも直交する方向に突出したものに比し重量をより軽くすることができる。また、１つの角部に１つの突出部を設けることにより、短辺３の方向（高さ方向）にも長辺４の方向（幅方向）にも断面２次モーメントを増加させることができるので、曲げ剛性や捩り剛性を向上できる。その結果、捩り固有値（共振周波数）の増加にも繋がるので、ダイナミックダンパー等のような音振チューニング部品を廃止することもできる。
【００４５】
（ｄ）本実施の形態のチューブ部材Ｔの製造方法では、キャビティ１３の角部１４に形成した膨出部１５に、チューブ状の予備成形体（ワークＷ）の角部１に形成した予備突出部２ａが対応するようにセットした状態で、液圧成形するので、予備成形体の素材が成形型１１，１２の膨出部１５に流動しやすく、亀裂等を発生させることなく突出部２を成形できる。
【００４６】
（ｅ）成形型１１，１２の型締め時にキャビティ１３内において、予備成形体（ワークＷ）の予備突出部２ａ間の中間部ｍが放射方向内方に膨出されるようにしたので、液圧成形時に中間部ｍの肉が各角部に向かう、いわゆる肉寄せが生じ、予備成形体の素材が円滑に流動され、予備突出部２ａを成形型１１，１２の膨出部１５に沿った形状に容易に成形することができる。
【００４７】
（ｆ）成形型１１，１２は、長手方向に直交する断面が矩形状を呈するキャビティ１３における４つの角部１４の内の対向する角部１４ｂ、１４ｄが、成形型１１，１２の合わせ面を跨って形成されているので、上下の成形型１１，１２に対して、液圧負荷前の予備成形体（ワークＷ）を斜めに傾斜させてセットすることになるが、一方向から型締めした状態での液圧成形が可能となる。また、成形後のワークＷの取り出しも容易に行うことができる。
【００４８】
本発明は、上述した実施形態に限定されるものではなく、特許請求の範囲内において種々変更使用することができる。例えば、上述した実施形態のチューブ部材は、断面４角形をしたものであるが、これのみでなく、角部を有するものであればどのようなものであってもよく、断面多角形をしたものであってもよい。
【００４９】
また、上述した実施形態では、軸直角断面矩形状をしたチューブ部材の軸線変形部Ｘにおける４つの角部全てに突出部を形成したものであるが、これのみでなく、少なくとも１つの角部に突出部を形成したものであってもよい。
【産業上の利用可能性】
【００５０】
曲げや捩りなどに対する剛性の高いサスペンションメンバー等の成形に利用できる。
【符号の説明】
【００５１】
１…チューブ部材の角部、
２…突出部、
２ａ…予備突出部、
１３…キャビティ、
１４…キャビティの角部、
１５…キャビティの膨出部、
ｍ…中間部、
Ｔ（Ｔ１，Ｔ２，Ｔ３，Ｔ４）…チューブ部材。
【図１】
0005609322.tif 000002
【図２】
0005609322.tif 000003
【図３】
0005609322.tif 000004
【図４】
0005609322.tif 000005
【図６】
0005609322.tif 000006
【図７】
0005609322.tif 000007
【図５】
0005609322.tif 000008